(57)【要約】本発明は、一般的に言えば、下位互換性の要求を満たし、さらに、競合する設計対象に有効に対処する、インターリーバ及びインターリービング方法を提供する。本発明の一態様によれば、データを、予想される受信アンテナの個数よりも多数の送信アンテナを用いて送信する。少なくとも一対の送信アンテナ（ant’_１、ant’_Ｎ）を形成し、第１データストリームから多数の第２データストリーム（６１０ａ、６１０ｎ）を形成し、前記第１データストリームにおける連続ビットは、前記第２データストリームの異なる１つに割り当てられるようにする。前記第２ストリームの多数のそれぞれのストリームのブロックインターリーブは個々に行う（６１１ａ、６１１ｎ）。連続する送信インターバル（６１７）の間に、対の送信アンテナを用いて、前記第２データストリームの異なるストリームから取り出した一対のデータシンボルを送信し、これに続いて、等価変換したデータシンボル対を送信する。
2008541539.tif 000002
【特許請求の範囲】
【請求項１】
予想される受信アンテナ数よりも多くの数の送信アンテナを用いてデータを送信する方法であって、少なくとも一対の送信アンテナを形成するステップと、第１データストリームから多数の第２データストリームを形成し、前記第１データストリームの連続ビットが前記第２データストリームの異なるデータストリームに割り当てられるようにするステップと、前記第２データストリームの多数の各ストリームを個々にブロックインターリーブするステップと、連続する送信インターバルの間に、前記対の送信アンテナを用いて、前記第２データストリームのそれぞれ異なるストリームから取り出した一対のデータシンボルを送信し、これに続いて、等価変換したデータシンボル対を送信するステップとを備えているデータ送信方法。
【請求項２】
前記第１データストリームをエンコードするステップ備える、請求項１に記載の方法。
【請求項３】
予想される受信アンテナ数よりも多くの数の送信アンテナを用いるデータ送信機において、少なくとも一対の送信アンテナと、第１データストリームから多数の第２データストリームを形成し、前記第１データストリームの連続ビットが前記第２データストリームの異なるデータストリームに割り当てられるようにする手段と、前記第２データストリームの多数の各ストリームを個々にブロックインターリーブする手段と、連続する送信インターバルの間に、前記対の送信アンテナを用いて、前記第２データストリームのそれぞれ異なるストリームから取り出した一対のデータシンボルを送信し、これに続いて、等価変換したデータシンボル対を送信する手段とを備えているデータ送信機。
【請求項４】
前記第１データストリームをエンコードする手段を備える、請求項３に記載の装置。
【請求項５】
予想される受信アンテナ数よりも多くの数の送信アンテナを用いてデータを送信する方法であって、第１データストリームから多数の第２データストリームを形成し、前記第１データストリームの連続ビットが前記第２データストリームの異なるデータストリームに割り当てられるようにするステップと、前記第２データストリームの多数の各ストリームを個々にブロックインターリーブするステップと、前記第２データストリームのそれぞれのストリームからＯＦＤＭシンボルを形成するステップと、連続する送信インターバルの間に、等価変換した周波数ビン情報が続く前記第２データストリームの異なるストリームから取り出した周波数ビン情報をＯＦＤＭシンボルの１つの周波数ビン内で１つのアンテナから送信することによって、前記ＯＦＤＭシンボルの周波数ビン情報を再配列するステップとを備えているデータ送信方法。
【請求項６】
前記第１データストリームをエンコードするステップを備える、請求項５に記載の方法。
【請求項７】
各ＯＦＤＭシンボルに対して、当該ＯＦＤＭシンボルの周波数ビン情報を、前記第２データストリームのうちの１つのストリームから取り出す、請求項５に記載の方法。
【請求項８】
少なくとも幾つかの前記ＯＦＤＭシンボルに対して、特定のＯＦＤＭシンボルの周波数ビン情報を、前記第２データストリームの２つ以上の偶数個のデータストリームから取り出す、請求項５に記載の方法。
【請求項９】
予想される受信アンテナ数よりも多くの数の送信アンテナを用いるデータ送信機において、少なくとも一対の送信アンテナと、第１データストリームから多数の第２データストリームを形成し、前記第１データストリームの連続ビットが前記第２データストリームの異なるデータストリームに割り当てられるようにする手段と、前記第２データストリームの多数の各ストリームを個々にブロックインターリーブする手段と、前記第２データストリームのそれぞれのストリームからシンボルを形成する手段と、連続する送信インターバルの間に、等価変換したＯＦＤＭシンボルが続く前記第２データストリームの異なるストリームから取り出されるＯＦＤＭシンボルを一対のアンテナが送信するように、ＯＦＤＭシンボルを形成する手段とを備えているデータ送信機。
【請求項１０】
前記第１データストリームをエンコードする手段を備える、請求項９に記載の装置。
【発明の詳細な説明】
【技術分野】
【０００１】
本発明は、ワイヤレスデジタル通信に関する。
【背景技術】
【０００２】
典型的な８０２．１１ａ／ｇ送信機のブロック図を図１に示してある。このような送信機は、単一入力単一出力（ＳＩＳＯ）システムである。送信すべきビットは、順方向誤り訂正（ＦＥＣ）エンコーダ１０１に供給され、これにインターリーバ１０３が後続する。インターリーバ１０３の出力ビットは、シンボルマッパー１０５（例えば、ＱＡＭマッパー）によってグループ分けされ、信号平面内にマッピングされて、シンボルを形成する。そして、ＩＦＦＴ演算１０７が続き、ここでは、シンボルが一連のサブキャリア周波数（すなわち周波数ビン）にマッピングされると共に、一連のタイムサンプルを得るために変換される。次に、巡回拡張演算１０８（ガードシンボルを付加することに等価）を行って、結果としてＯＦＤＭシンボルを得る。それから、パルス整形１０９及びＩＱ変調１１１を行って、ＲＦ出力信号１１３を得る。
【０００３】
典型的な８０２．１１ａ／ｇシステムはブロックインターリーバ（例えば、ブロックインターリーバ１０３）を有しており、これは、以下のパラメータを用いて、第２置換（ｐｅｒｍｕｔａｔｉｏｎ）が続く第１置換によって表わすことができる。
N_CBPSはインターリーバのサイズ、すなわち、シンボル当たりの符号化ビット数、
ｋは入力ビットのインデックス、
ｉは第１置換の後のインデックス、
ｊは第２置換の後のインデックスである。
【０００４】
第１及び第２置換は以下のように定義され、
第１置換
ｉ=(N_CBPS/16)(k mod 16)+floor(k/16),
ｋ=0,1,…,N_CBPS-1
１６個の列及びN_CBPS/１６個の行がある。
ビットは行ごとに書き込まれ、列ごとに読み取られる。
第２順列
ｊ=s*floor(i/s)+(ｉ+N_CBPS−floor(16*ｉ/N_CBPS))mod s,
ｉ=0,1,…,N_CBPS-1
ここで、s=max(N_BPSC/2,1)であって、N_CBPSは、ＯＦＤＭサブキャリアにおけるシンボル当たりのビット数である。異なる列に対しては、ビット重要度インデックスが変化するため、隣接ビットが必ずしも常にシンボルの同じインデックスにマップされるとは限らない。
【０００５】
上述の置換を、図２にブロック２０１及び２０３によって示してある。
【０００６】
８０２．１１ａ／ｂ／ｇのワイヤレスネットワーキング構築の市場成功に続いて、８０２．１１ｎワーキンググループが２００３年に結成され、高スループットワイヤレスＬＡＮのための標準規格を作成することが許可された。この提案された標準規格では、最大データ転送速度は、８０２．１１ａ／ｂ／ｇと比較して、２倍以上のレンジを有する７２０Ｍｂｐｓ程度にすることができる。この基本的な技術は、多入力多出力（ＭＩＭＯ）法と称され、これは本来、ワイヤレス媒体にパスダイバーシチを活用するために、多数のアンテナを用いる。ＭＩＭＯシステムについて述べる場合、Ｍ×Ｎとは、Ｍ個の送信アンテナとＮ個の受信アンテナのことを意味する。
【０００７】
多数のアンテナは、時空間ブロック符号化（ＳＴＢＣ）と称されるタイプの符号化、例えばＡｌａｍｏｕｔｉ符号化を可能にする。ＳＴＢＣにおいては、情報のブロックをエンコードしてから、多数のアンテナ（空間）で、かつ多数のシンボル期間（時間）で送信する。
【発明の開示】
【発明が解決しようとする課題】
【０００８】
ＭＩＭＯシステムの８０２．１１ｎは、少なくともＳＩＳＯシステムの８０２．１１ａ／ｇと下位互換性を持つことが望ましい。特に、インターリービングに関しては、下位互換性を持ち、さらに、競合する設計対象（例えば、小型化、低電力消費、通信の安定性）に対処する、インターリービング装置が必要とされる。
【課題を解決するための手段】
【０００９】
本発明は、一般的に云えば、下位互換性の要求を満たし、さらに競合する設計対象に有効に対処する、インターリーバ及びインターリービング方法を提供する。本発明の一態様によれば、データを、予想される受信アンテナ数よりも多くの数の送信アンテナを用いて送信する。少なくとも一対の送信アンテナを形成し、第１データストリームから多数の第２データストリームを形成し、前記第１データストリームにおける連続ビットは、前記第２データストリームのそれぞれ異なるストリームに割り当てられるようにする。前記第２データストリームの多数のそれぞれのストリームのブロックインターリービングは個々に行う。連続するインターバルの間には、対の送信アンテナを用いて、前記第２データストリームのそれぞれ異なるストリームから取り出した一対のデータシンボルを送信し、これに続いて、等価変換したデータシンボル対を送信する。本発明の他の態様によれば、データを、１つのアンテナか、又は多数のアンテナのいずれかを用いて送信する。１つのアンテナを用いてデータを送信する場合には、そのデータを送信する前に第１インターリービング法を用いてデータをブロックインターリーブする。多数のアンテナを用いてデータを送信する場合には、第１データストリームから多数の第２データストリームを形成し、前記第１データストリームにおける連続ビットが、前記第２データストリームのそれぞれ異なるストリームに割り当てられるようにする。前記第２データストリームの多数の各ストリームのブロックインターリービングは、前記第１インターリービング法とほぼ同じインターリービング法を用いて行う[ＯＰＥＲＡＴＩＯＮ  Ｃ]。本発明の他の態様によれば、予想される受信アンテナ数よりも多くの数の送信アンテナを用いてデータを送信する。送信アンテナはグループ分けし、第１データストリームから各アンテナに対する多数の第２データストリームを形成し、前記第１データストリームにおける連続ビットが前記第２データストリームのそれぞれ異なるストリームに割り当てられるようにする。前記第２データストリームの多数の各ストリームのブロックインターリービングは個々に行う。連続する送信インターバルの間には、前記アンテナのうちのそれぞれ異なるアンテナから、ゼロでないシンボルを送信用に順に出力するのであって、所定の送信インターバルの間には、ゼロでないシンボルがアンテナグループのただ１つに割り当てられ、ゼロのシンボルはアンテナグループのその他のアンテナに割り当てられるようにする。
【発明を実施するための最良の形態】
【００１０】
以下、添付図面を参照して、本発明を詳細に説明する。
【００１１】
以下の説明において、２つの送信アンテナのケースは、Ｎ個の送信アンテナの、より一般的なケースの模範例として示している。本発明の原理は、当業者に分かるように、２つのアンテナから、２つ以上のアンテナにまで容易に拡大することができる。
【００１２】
８０２．１１ｎシステムには、多数の空間ストリームが必要とされる。８０２．１１ｎシステムにとっては、８０２．１１ａ／ｇシステムとの下位互換性を持たせなければならないから、８０２．１１ａ／ｇのインターリーバを存在させなければならない。本発明の手法は、８０２．１１ａ／ｇのインターリーバに基づく、新たなインターリーバを作成することにある。すなわち、入力ビットを２つのストリームに解析（ｐａｒｓｅ）し、その各ストリームに８０２．１１ａ／ｇのインターリーバを用いる。
【００１３】
ＭＩＭＯ通信用送信機のブロック図を示している図３を参照するに、単一の情報ストリームは、ビットパーサー３０１に供給される。送信モードに応じて、ビットパーサーは、単一情報ストリーム又は２つの別々の情報ストリームを生成する。ＳＩＳＯモードでは、ビットパーサーは、入力情報ストリームをインターリーバ３１０の上側ブランチ３１１へ導く。インターリーバの上側ブランチは、図２のインターリーバと同じ構成とすることができる。すなわち、ブロックインターリーバのオペレーション３１３の後に、ビット重要度インデックスのシャッフラー３１５が続く。ＭＩＭＯモードでは、ビットパーサーは、入力情報ストリームの交互ビットを、インターリーバの上側ブランチ３１１とインターリーバの下側ブランチ３１２へ交互に出力して、２つの別々の情報ストリームを生成する。
【００１４】
インターリーバの下側ブランチは、好ましくは、インターリーバの上側ブランチのように、対応するブロック３１４及び３１６を含むようにする。加えて、インターリーバの下側ブランチは、ブロック３１６ｃ（オペレーションＣ）を含み、また、ブロック３１６ｂ（オペレーションＢ）又はブロック３１６ａ（オペレーションＡ）を随意含むことができる。
【００１５】
異なる空間ストリームにおける隣接ビットは、周波数領域において、できるだけ離して離間させるのが望ましい。その１つの簡単な方法は、多数のN_CBPSにてブロック３１６の出力を、巡回的に回転させることである（オペレーションＣ）。オペレーションＣは、インターリーブしたブロックを線形バッファにバッファリングして、多数のN_CBPSによって巡回的な回転を行うことと想定することができる。現実的なシステムモデルを用いると、２×２で、４０ＭＨｚのシステムの場合に、巡回的に回転数する５７＊N_CBPS、すなわち、ＯＦＤＭにおける巡回的に回転する５７周波トーンが、所定のＳＮＲに対して、最低のＰＥＲ（パケット誤り率）を生成することになることが分かる。２×２で、２０ＭＨｚのシステムに好適な回転は、２５＊N_CBPSである。オペレーションＣでは、ビット重要度インデックスは変化していないことに注意する。
【００１６】
また、２つのストリーム間の、ビット重要度インデックスを変えることも望ましい。これには多くの方法がある。１つの方法は、例えば、前述の第２置換におけるｓの定義を変えることによって、オペレーション２（ブロック３１６）を変える方法である。あるいは、現行の置換処理は列インデックスに従って変化するから、ビット重要インデックスは、異なる列インデックス、例えば列インデックス＋１に従って置換を行うことにより変えることができる。
【００１７】
オペレーション２を変更しないようにするために（例えば、ハードウェアの再利用観点で）、回路内の様々な箇所、例えば、ビットパーサー３０１又はオペレーションＡ又はオペレーションＢで、同等の作用を行うようにすることができる。例えば、オペレーションＢを実施する１つの簡単な方法は、第２ビットストリームのシンボルに属するビットを、例えば１つずつ巡回的に回転させることである。第３ビットストリームの場合には、シンボルに属するビットを、２つずつ巡回的に回転させることになる。
【００１８】
オペレーションＡは、例えば、ビット重要度インデックスのシャッフリングを個別に行うように設計した、他のインターリーバの形態を取ることができる。オペレーションＡをビットパースブロック３０１と組合わせることも潜在的に可能である。
【００１９】
ビット重要度インデックスの個別シャッフリングは、オペレーションＣの一部として（すなわち、周波数分離を既に行った上で）行うこともできる。そうするための簡単な方法は、第２ビットストリームでは１ビット以上、第３ビットストリームでは２ビット以上、と云うように順次ビットをシフトすることである。
【００２０】
ＭＩＭＯ−ＯＦＤＭシステムにおいて、送信アンテナの数が受信アンテナよりも多い場合には、データストリームの数を、送信アンテナの数よりも少なくしなければならない。しかしながら、追加の送信アンテナ（１個又は複数）を設けて、空間ダイバーシチを増やすことができ、従って、システムの性能を改善できることが知られている。そうするための１つの方法は、空間拡散法を用いるやり方であり、これは、他のアンテナの信号からのサイクリック遅延信号を用いる。
【００２１】
そうするための他の方法は、図４に示すように、２つのアンテナに、トーンインターリーブした信号を用いるやり方である。図４におけるブロック４０１，４０３及び４０５はブロック１０１，１０３及び１０５にほぼ対応する。ブロック４０７は、以下の方法でトーンインターリーブを行う。
周波数領域において、
ａｎｔ１=[a1,0,a3,0,…]
ａｎｔ２=[0,a2,0,a4,…]
【００２２】
すなわち、一対のアンテナを形成し、特定のシンボル期間中に、アンテナ対の一方のアンテナを経て送信される、ＯＦＤＭシンボル内のトーンの半分を使用し、トーンの残りの半分は使用しない。もう一方のアンテナでは、使用又は不使用の特定トーンは、逆になる。この簡単なトーンインターリービングは、簡単な代替スキームであるために、ＯＦＤＭ信号の周波数ダイバーシチを全く活用しない。
【００２３】
図５を参照するに、ここにはＮ個のアンテナがあるが、１つのストリームを考慮しているだけである。単一の情報ストリームは、ＦＥＣエンコーダ５０１に供給され、これにビットパーサー５０３が続く。このビットパーサーは、入力情報ストリームのビットを、ブランチ５１０ａ〜５１０ｎのうちのそれぞれ異なるブランチに、順に出力する。各ブランチは、インターリーバ５１１と、それに続くビット／シンボルマッパー５１３と、トーンインターリービングブロック５１５とを備える。周波数ダイバーシチは以下のように活用する。
ａｎｔ_１=[a1,0,…0,a_N+1,0,…]
ａｎｔ_２=[0,a2,0,…0,a_N+2,0,…]
…
ａｎｔ_Ｎ=[0,…,0,a_N-1,0,a_N+N,0,…]
【００２４】
インターリーバの深さは、レイテンシー要求を適えるように調整することができる。
【００２５】
図６を参照するに、同じ構成をＳＴＢＣに適用することができ、ＳＴＢＣ（ブロック６１７）は、トーンインターリービングの後に適用する。
【００２６】
２×１システムに対する、ＳＴＢＣの特別な改良型がＡｌａｍｏｕｔｉ符号化である。Ａｌａｍｏｕｔｉ符号化は、２つの隣接するシンボルを、同時送信用の２つの送信アンテナにマッピングする。Ａｌａｍｏｕｔｉ符号化（ＡＣ）を最大限に活用するために、インターリーバは、通常、ＡＣの前に用いる。図７を参照するに、送信すべきデータは、ＦＥＣエンコーダ７０１に供給され、この後に、順に、インターリーバ７０３、ＱＡＭマッパー７０５、シンボルパーサー７０７が続く。シンボルパーサーは、ＡＣブロック７０９に供給する多数のシンボルストリームを生成する。
【００２７】
ＯＦＤＭシステムでは、図８に示すように、ＡＣブロック８０９に続くＩＦＦＴ８０６を各ブランチに追加する。
【００２８】
４×１システムの場合には、Ａｌａｍｏｕｔｉ符号化は、４×１の時空間ブロック符号化（ＳＴＢＣ）に一般化される。現行の共通スキームは次のように機能する。
ｓ１（ｋ）  −ｓ２＊（ｋ）  繰り返し
ｓ２（ｋ）    ｓ１＊（ｋ）  繰り返し
ｓ３（ｋ）  −ｓ４＊（ｋ）  繰り返し
ｓ４（ｋ）    ｓ３＊（ｋ）  繰り返し
【００２９】
各列は、２つの連続するシンボル期間中に、特定のアンテナで送信されるシンボルを表わす。より詳細には、２つの連続するシンボル期間のうちの最初の期間中には、個別のシンボルがアンテナ１〜４で送信される。次の連続するシンボル期間中には、等価ではあるが、変換したシンボルが送信される。従って、アンテナ２で送信されたシンボルの負の共役シンボルはアンテナ１で送信され、アンテナ１で送信されたシンボルの共役シンボルはアンテナ２で送信される、というようになる。上記のように表示したパターンは繰り返される（すなわち、アンテナ１では、ｓ１（ｋ＋１），（−ｓ２＊（ｋ＋１））と続く）。
【００３０】
非常に近接している符号化ビットは、ＯＦＤＭを適用する場合には、時間領域及び周波数領域において、出来るだけ遠くに切り離されなければならない。この目的を達成するインターリーバを設計することは可能だが、既存のインターリーバを備えるシステムの性能を高めることは不可能である。また、Ｍ×１システム（ここにＭ＞２）にとっては、既存の繰り返しスキームは、空間ダイバーシチの種々の多様性を全く活用していない。
【００３１】
空間ダイバーシチの種々の多様性をもっと活用するために、多数の情報ストリームを形成し、それから個々にインターリーブする。図９を参照するに、ブロック９０１，９０３，９１１ａ，９１１ｂ，９１３ａ及び９１３ｂは、ブロック５０１，５０３，５１１ａ，５１１ｂ，５１３ａ及び５１３ｂにほぼ対応する。ＡＣブロック９１５は、（個々にインターリーブした）結果ストリームを受信して、既知の方法によってＡｌａｍｏｕｔｉ符号化を行う。このような処置は、個別インターリーブＡｌａｍｏｕｔｉ符号化（Ｉ２ＡＣ）と称することができる。
【００３２】
ＯＦＤＭシステムでは、図１０に示すように、各ブランチに対し、ＡＣブロックの後にＩＦＦＴ１００６を追加する。
【００３３】
Ｍ＞２の場合には、Ｉ２ＡＣに加えて、空間回転を適用することができる。例えば、４×２の場合には、４つのストリームをビット解析する。各ストリームを個々にインターリーブして、ＱＡＭシンボルにマッピングする。次いで、ＡＣ符号化を以下のように行う。
ｓ１（ｋ）  −ｓ２＊（ｋ）  ｓ１（ｋ＋１）  −ｓ３＊（ｋ＋１）  ｓ１（ｋ＋２）  −ｓ４＊（ｋ＋２）
ｓ２（ｋ）    ｓ１＊（ｋ）  ｓ２（ｋ＋１）  −ｓ４＊（ｋ＋１）  ｓ２（ｋ＋２）  −ｓ３＊（ｋ＋２）
ｓ３（ｋ）  −ｓ４＊（ｋ）  ｓ３（ｋ＋１）    ｓ１＊（ｋ＋１）  ｓ３（ｋ＋２）  ｓ２＊（ｋ＋２）
ｓ４（ｋ）    ｓ３＊（ｋ）  ｓ４（ｋ＋１）    ｓ２＊（ｋ＋１）  ｓ４（ｋ＋２）  ｓ１＊（ｋ＋２）
【００３４】
このため、ストリームは４つのアンテナに対を成してＳＴＢＣ符号化される（３通りの対（（１，２），（３，４））、（（１，３），（２，４））、（（１，４），（２，３）））。これは、以下の２つの方法で行うことができる。
【００３５】
オプション１：
Ａｌａｍｏｕｔｉ符号化を以下のように、６つのＯＦＤＭシンボルにわたって行う。すなわち、最初の２つのＯＦＤＭシンボルが前記対の組み合わせ（１，２），（３，４）を全ての周波数で用い、次の２つのＯＦＤＭシンボルが全ての周波数にわたって組み合わせ（１，３），（２，４）を用い、最後の２つのＯＦＤＭシンボルが全ての周波数にわたって組み合わせ（１，４），（２，３）を用い、次いで、次の６つの連続するＯＦＤＭシンボルに対するパターンを繰り返す。こうする事の不利な点は、各周波数に対するチャネルマトリックスが、時間と共に変化するということにある。
【００３６】
ｉ番目のＯＦＤＭブロックにおけるｊ番目のデータシンボルをａｉｊ，ｂｉｊ，ｃｉｊ及びｄｉｊとし、４つのストリームをａ，ｂ，ｃ及びｄと示すものとする。各ＯＦＤＭブロックは、Ｎ個のデータシンボルを有するものとする。角括弧[]間の一組のシンボルは、１つのＯＦＤＭシンボルである。ＡＣブロックによって行われるオペレーションは、以下のように表わすことができる。
ＳＴＢＣ（ＡＣ）ブロックへの入力：
[a11 a12…a1N][a21 a22 …a2N][a31 a32…a3N]………
[b11 b12…b1N][b21 b22 …b2N][b31 b32…b3N]………
[c11 c12…c1N][c21 c22 …c2N][c31 c32…c3N]………
[d11 d12…d1N][d21 d22 …d2N][d31 d32…d3N]………
ＳＴＢＣブロックの出力：
[a11 a12…a1N][-b11* -b12…-b1N*][a21 a22…a2N][-c21* -c22…-c2N*][a31 a32…a3N][-d31* -d32…-d3N*]………
[b11 b12…b1N][a11* a12*…a1N*][b21 b22…b2N][-d21* -d22…-d2N*][b31 b32…b3N][-c31* -c32…-c3N*]………
[c11 c12…c1N][-d11* -d12*…-d1N*][c21 c22…c2N][a21* a22*…a2N*][c31 c32…c3N][b31* b32*…b3N*]………
[d11 d12…d1N][c11* c12*…c1N*][d21 d22…d2N][b21* b22*…b2N*][d31 d32…d3N][a31* a32*…a3N*]………
【００３７】
オプション２：
Ａｌａｍｏｕｔｉ符号化は、次のように２つのＯＦＤＭシンボルにわたって行う。すなわち、第１の周波数ビンは組み合わせ（１，２），（３，４）を用い、第２の周波数ビンは組み合わせ（１，３），（２，４）を用い、第３の周波数ビンは組み合わせ（１，４），（２，３）を用い、このパターンを繰り返す。従って、Ａｌａｍｏｕｔｉ符号化は、各周波数ビンに対する異なるアンテナからのシンボルを用いる。しかしながら、各周波数ビンに対するチャネルマトリックスは経時的に変化しない。
ＳＴＢＣブロックへの入力：
[a11 a12 a13 a14…a1N]
[b11 b12 b13 b14…b1N]
[c11 c12 c13 c14…c1N]
[d11 d12 d13 d14…d1N]
ＳＴＢＣブロックの出力：
[a11 a12 a13 a14 a15 a16…a1N][-b11* -c12* -d13* -b14* -c15* -d16*………]
[b11 b12 b13 b14 b15 b16…b1N][a11* -d12* -c13* a14* -d15* -c16*………]
[c11 c12 c13 c14 c15 c16…c1N][-d11* a12* b13* -d14* a15* b16*………]
[d11 d12 d13 d14 d15 d16…d1N][c11* b12* a13* c14* b15* a16*………]
【００３８】
同じ原理は、任意の２ｐ×ｐＳＴＢＣシステムにも適用することができる。
【００３９】
本発明は、その精神又は本質的特徴から逸脱することなく、他の態様で具体化し得ることは当業者に明らかである。従って、図示の実施例は、いずれも例示に過ぎず、これに限定されるものではない。本発明の範囲は、前述の説明よりむしろ添付の特許請求の範囲によって示されるものであり、本発明の精神及び均等な範囲内においてとり得るあらゆる変更は、本発明に包含されるものとする。
【図面の簡単な説明】
【００４０】
【図１】既知のＳＩＳＯ通信送信機のブロック図である。
【図２】図１のインターリーバの詳細なブロック図である。
【図３】ＭＩＭＯ通信送信機の一部のブロック図である。
【図４】２つのアンテナ用にトーンインターリーブ信号を用いる通信送信機の一部を示すブロック図である。
【図５】本発明の一態様による、２つのアンテナ用にトーンインターリーブ信号を用いる通信送信機の一部を示すブロック図である。
【図６】本発明の他の態様による、２つのアンテナ用にトーンインターリーブ信号を用いる通信送信機の一部を示すブロック図である。
【図７】Ａｌａｍｏｕｔｉ符号化を用いる通信送信機の一部を示すブロック図である。
【図８】ＯＦＤＭ及びＡｌａｍｏｕｔｉ符号化を用いる通信送信機の一部を示すブロック図である。
【図９】本発明の一態様によるＡｌａｍｏｕｔｉ符号化を用いる通信送信機の一部を示すブロック図である。
【図１０】本発明の他の態様によるＯＦＤＭ及びＡｌａｍｏｕｔｉ符号化を用いる通信送信機の一部を示すブロック図である。
【図１】
2008541539.tif 000003
【図２】
2008541539.tif 000004
【図３】
2008541539.tif 000005
【図４】
2008541539.tif 000006
【図５】
2008541539.tif 000007
【図６】
2008541539.tif 000008
【図７】
2008541539.tif 000009
【図８】
2008541539.tif 000010
【図９】
2008541539.tif 000011
【図１０】
2008541539.tif 000012
【国際調査報告】
2008541539.tif 000013
2008541539.tif 000014
2008541539.tif 000015